(57)【要約】【課題】  従来の電子カメラでは、変倍光学系の位置がテレ領域やマクロ領域にある場合に精度の高いホワイトバランス制御が行われないという問題があった。【解決手段】  本発明では、撮影倍率を変更可能な変倍光学系と、前記変倍光学系を介して被写界を撮像し、画像信号を出力する撮像部と、前記撮像部に記録のための撮像指示を与える撮像指示部と、前記撮像部が撮像した画像信号から被写界における光源を判別する光源判定部と、前記光源判定部の判定結果に基づいて、前記撮像部が撮像した画像信号のホワイトバランス処理を行うホワイトバランス処理部と、前記撮像指示部により撮像を指示された時の前記変倍光学系の画角が所定の条件であった場合、前記変倍光学系を広角側に移動させた上で前記撮像部に再撮像を行わせ、前記光源判定部に再撮像で得られた画像信号に基づく光源判定を行わせる制御部とを設けた。【選択図】    図１
2008301368.tif 000002
【特許請求の範囲】
【請求項１】
撮影倍率を変更可能な変倍光学系と、
前記変倍光学系を介して被写界を撮像し、画像信号を出力する撮像部と、
前記撮像部に記録のための撮像指示を与える撮像指示部と、
前記撮像部が撮像した画像信号から被写界における光源を判別する光源判定部と、
前記光源判定部の判定結果に基づいて、前記撮像部が撮像した画像信号のホワイトバランス処理を行うホワイトバランス処理部と、
前記撮像指示部により撮像を指示された時の前記変倍光学系の画角が所定の条件であった場合、前記変倍光学系を広角側に移動させた上で前記撮像部に再撮像を行わせ、前記光源判定部に再撮像で得られた画像信号に基づく光源判定を行わせる制御部と
を有することを特徴とする電子カメラ。
【請求項２】
請求項１に記載の電子カメラにおいて、
前記制御部は、前記撮像指示部により撮像を指示された時の前記変倍光学系の画角が所定値よりも望遠側にあった場合に、前記変倍光学系を現在位置よりも広角側に移動させて前記撮像部による再撮像および前記光源判定部による光源判定を行う
ことを特徴とする電子カメラ。
【請求項３】
請求項１または２に記載の電子カメラにおいて、
前記撮像指示部による撮像指示に応じて撮像された画像信号に基づく第１の光源判定結果と、前記再撮像により得られた画像信号に基づく第２の光源判定結果とを複合する複合処理部を更に有し、
前記光源判定部は、前記複合処理部の処理結果に基づいて、最終的な光源判定を行う
ことを特徴とする電子カメラ。
【請求項４】
請求項３に記載の電子カメラにおいて、
前記複合処理部は、前記第１の光源判定結果よりも、前記第２の光源判定結果の方を大きく重み付けして複合する
ことを特徴とする電子カメラ。
【請求項５】
請求項３に記載の電子カメラにおいて、
前記撮像指示部による撮像指示に応じて撮像された画像信号に対する前記再撮像により得られた画像信号の輝度変化を検出する輝度変化検出部を更に有し、
前記複合処理部は、前記輝度変化検出部が検出した輝度変化が所定値以上の場合は、前記第１の光源判定結果よりも前記第２の光源判定結果の方を小さく重み付けし、前記輝度変化検出部が検出した輝度変化が所定値未満の場合には、前記第１の光源判定結果よりも、前記第２の光源判定結果の方を大きく重み付けして複合する
ことを特徴とする電子カメラ。
【請求項６】
請求項１から５のいずれか一項に記載の電子カメラにおいて、
被写体までの距離を検出する測距部を更に有し、
前記制御部は、前記撮像指示部による撮像指示に応じて前記測距部が検出した被写体距離が所定の距離以下であった場合、前記変倍光学系をさらに広角側に移動させた上で前記撮像部による再撮像および前記光源判定部による光源判定を行う
ことを特徴とする電子カメラ。
【請求項７】
撮影倍率を変更可能な変倍光学系と、
前記変倍光学系を介して被写界を撮像し、画像信号を出力する撮像部と、
前記撮像部に記録のための撮像指示を与える撮像指示部と、
前記撮像部が撮像した画像信号から被写界における光源を判別する光源判定部と、
前記光源判定部の判定結果に基づいて、前記撮像部が撮像した画像信号のホワイトバランス処理を行うホワイトバランス処理部と、
前記撮像指示部により撮像を指示された時の前記変倍光学系の画角が所定の条件であった場合に、前記変倍光学系を広角側に移動させながら前記撮像部に複数回の再撮像を行わせ、前記光源判定部に前記複数回の再撮像で得られた複数の画像信号に基づく光源判定を画像信号毎に行わせる制御部と
を有することを特徴とする電子カメラ。
【請求項８】
請求項７に記載の電子カメラにおいて、
前記撮像指示部による撮像指示に応じて撮像された画像信号に基づく第１の光源判定結果と、前記複数回の再撮像により得られた複数の画像信号に基づく複数の光源判定結果とを複合する複合処理部を更に有し、
前記光源判定部は、前記複合処理部の処理結果に基づいて、最終的な光源判定を行う
ことを特徴とする電子カメラ。
【請求項９】
請求項８に記載の電子カメラにおいて、
前記複合処理部は、前記第１の光源判定結果と、前記複数の光源判定結果とを重み付けして複合する
ことを特徴とする電子カメラ。
【請求項１０】
請求項９に記載の電子カメラにおいて、
前記撮像指示部による撮像指示に応じて撮像された画像信号に対する前記複数回の再撮像により得られた複数の画像信号のそれぞれの輝度変化を検出する輝度変化検出部を更に有し、
前記複合処理部は、前記複数の光源判定結果のうち、前記輝度変化検出部が検出した輝度変化が所定値以上と判定された画像信号に対応する光源判定結果を除外した上で、光源判定結果を複合する
ことを特徴とする電子カメラ。
【発明の詳細な説明】
【技術分野】
【０００１】
本発明は、変倍光学系を有する電子カメラのホワイトバランス技術に関する。
【背景技術】
【０００２】
従来、変倍光学系を有する電子カメラにおいて、望遠（テレ）領域や接写（マクロ）領域でホワイトバランス制御を行う場合、画角内の色彩情報が少なくなるので、色温度情報を抽出して光源判定を行う際に、被写体の有彩色による誤動作が多くなることが知られている。このような問題を解決するために、例えば、変倍光学系の位置が広角（ワイド）領域にある場合はホワイトバランス制御を行い、テレ領域やマクロ領域にある場合はホワイトバランス制御を停止する方法が考えられている（例えば、特許文献１参照）。
【特許文献１】特開平６−２６１３２４号公報
【発明の開示】
【発明が解決しようとする課題】
【０００３】
ところが、上記従来技術では、変倍光学系の位置がテレ領域やマクロ領域にある場合にホワイトバランス制御を停止するので、ホワイトバランス制御の誤動作を防ぐことはできるが、ホワイトバランス制御自体が行われないので、光源の種類や撮影状況によっては色相のずれが生じてしまうという問題があった。
【０００４】
本発明の目的は、変倍光学系の位置がテレ領域やマクロ領域で撮像を行う場合でも、精度の高いホワイトバランス制御を行うことができる電子カメラを提供することである。
【課題を解決するための手段】
【０００５】
本発明に係る電子カメラは、撮影倍率を変更可能な変倍光学系と、前記変倍光学系を介して被写界を撮像し、画像信号を出力する撮像部と、前記撮像部に記録のための撮像指示を与える撮像指示部と、前記撮像部が撮像した画像信号から被写界における光源を判別する光源判定部と、前記光源判定部の判定結果に基づいて、前記撮像部が撮像した画像信号のホワイトバランス処理を行うホワイトバランス処理部と、前記撮像指示部により撮像を指示された時の前記変倍光学系の画角が所定の条件であった場合、前記変倍光学系を広角側に移動させた上で前記撮像部に再撮像を行わせ、前記光源判定部に再撮像で得られた画像信号に基づく光源判定を行わせる制御部とを有することを特徴とする。
【０００６】
特に、前記制御部は、前記撮像指示部により撮像を指示された時の前記変倍光学系の画角が所定値よりも望遠側にあった場合に、前記変倍光学系を現在位置よりも広角側に移動させて前記撮像部による再撮像および前記光源判定部による光源判定を行うことを特徴とする。
【０００７】
さらに、前記撮像指示部による撮像指示に応じて撮像された画像信号に基づく第１の光源判定結果と、前記再撮像により得られた画像信号に基づく第２の光源判定結果とを複合する複合処理部を更に有し、前記光源判定部は、前記複合処理部の処理結果に基づいて、最終的な光源判定を行うことを特徴とする。
【０００８】
特に、前記複合処理部は、前記第１の光源判定結果よりも、前記第２の光源判定結果の方を大きく重み付けして複合することを特徴とする。
【０００９】
さらに、前記撮像指示部による撮像指示に応じて撮像された画像信号に対する前記再撮像により得られた画像信号の輝度変化を検出する輝度変化検出部を更に有し、前記複合処理部は、前記輝度変化検出部が検出した輝度変化が所定値以上の場合は、前記第１の光源判定結果よりも前記第２の光源判定結果の方を小さく重み付けし、前記輝度変化検出部が検出した輝度変化が所定値未満の場合には、前記第１の光源判定結果よりも、前記第２の光源判定結果の方を大きく重み付けして複合することを特徴とする。
【００１０】
また、被写体までの距離を検出する測距部を更に有し、前記制御部は、前記撮像指示部による撮像指示に応じて前記測距部が検出した被写体距離が所定の距離以下であった場合、前記変倍光学系をさらに広角側に移動させた上で前記撮像部による再撮像および前記光源判定部による光源判定を行うことを特徴とする。
【００１１】
また、本発明に係る電子カメラは、撮影倍率を変更可能な変倍光学系と、前記変倍光学系を介して被写界を撮像し、画像信号を出力する撮像部と、前記撮像部に記録のための撮像指示を与える撮像指示部と、前記撮像部が撮像した画像信号から被写界における光源を判別する光源判定部と、前記光源判定部の判定結果に基づいて、前記撮像部が撮像した画像信号のホワイトバランス処理を行うホワイトバランス処理部と、前記撮像指示部により撮像を指示された時の前記変倍光学系の画角が所定の条件であった場合に、前記変倍光学系を広角側に移動させながら前記撮像部に複数回の再撮像を行わせ、前記光源判定部に前記複数回の再撮像で得られた複数の画像信号に基づく光源判定を画像信号毎に行わせる制御部とを有することを特徴とする。
【００１２】
さらに、前記撮像指示部による撮像指示に応じて撮像された画像信号に基づく第１の光源判定結果と、前記複数回の再撮像により得られた複数の画像信号に基づく複数の光源判定結果とを複合する複合処理部を更に有し、前記光源判定部は、前記複合処理部の処理結果に基づいて、最終的な光源判定を行うことを特徴とする。
【００１３】
特に、前記複合処理部は、前記第１の光源判定結果と、前記複数の光源判定結果とを重み付けして複合することを特徴とする。
【００１４】
さらに、前記撮像指示部による撮像指示に応じて撮像された画像信号に対する前記複数回の再撮像により得られた複数の画像信号のそれぞれの輝度変化を検出する輝度変化検出部を更に有し、前記複合処理部は、前記複数の光源判定結果のうち、前記輝度変化検出部が検出した輝度変化が所定値以上と判定された画像信号に対応する光源判定結果を除外した上で、光源判定結果を複合することを特徴とする。
【発明の効果】
【００１５】
本発明によれば、変倍光学系の位置がテレ領域やマクロ領域で撮像を行う場合に、一旦、広角側に移動してホワイトバランス制御用の色温度情報を得るので、精度の高いホワイトバランス制御を行うことができる。
【発明を実施するための最良の形態】
【００１６】
以下、図面を参照して本発明の各実施形態について詳しく説明する。
（第１の実施形態）
図１は第１の実施形態に係る電子カメラ１０１のブロック図である。電子カメラ１０１は、レンズ光学系１０２と、撮像素子１０３と、Ａ／Ｄ変換部１０４と、バス１０５と、画像処理部１０６と、一時バッファ１０７と、記録バッファ１０８と、表示制御部１０９と、液晶モニタ１１０と、カードＩＦ１１１と、メモリカード１１２と、ＣＰＵ１１３と、操作パネル１１４と、レンズ制御部１１５と、補助光源１１６とで構成される。
【００１７】
レンズ光学系１０２は、フォーカスレンズ１０２ａと撮影倍率を変更可能なズームレンズ（変倍光学系）１０２ｂとで構成され、レンズ制御部１１５はＣＰＵ１１３の指令に応じて、フォーカスレンズ１０２ａやズームレンズ１０２ｂの位置を移動する。また、レンズ制御部１１５はズームレンズ１０２ｂのズームポジション（ズーム位置）をＣＰＵ１１３に出力する。
【００１８】
電子カメラ１０１において、レンズ光学系１０２を介して入射した被写体からの光は、撮像素子１０３の受光面に結像される。撮像素子１０３は、受光面に結像された光を画像信号に変換し、Ａ／Ｄ変換部１０４に出力する。Ａ／Ｄ変換部１０４は、アナログの画像信号をデジタルの画像データに変換し、バス１０５を介して一時バッファ１０７に記憶する。
【００１９】
画像処理部１０６は、一時バッファ１０７に記憶された画像データを読み出して、ホワイトバランス処理や画像圧縮処理などを行って記録バッファ１０８に記憶する。
【００２０】
記録バッファ１０８に記憶された画像データは、バス１０５を介して表示制御部１０９に出力され、液晶モニタ１１０に表示したり、必要に応じてカードＩＦ１１１を介して装着されているメモリカード１１２に記憶して保存する。
【００２１】
また、電子カメラ１０１は、操作パネル１１４にあるレリーズボタンや各種の操作ボタンを用いて操作され、操作パネル１１４の操作情報はＣＰＵ１１３に入力される。
【００２２】
ＣＰＵ１１３は、予め記憶されたプログラムに従って動作し、操作パネル１１４の操作情報に応じて、電子カメラ１０１の各部を制御する。例えば、バス１０５を介してＡ／Ｄ変換部１０４，一時バッファ１０７，記録バッファ１０８，画像処理部１０６，表示制御部１０９，カードＩＦ１１１などの間で画像データの入出力を制御する。また、レンズ制御部１１５に指令して、フォーカスレンズ１０２ａやズームレンズ１０２ｂの位置を移動したり、必要に応じて補助光源１１６を発光する。
【００２３】
尚、本実施形態においては、説明が分かり易いように、一時バッファ１０７と記録バッファ１０８とに分けて説明しているが、一時バッファ１０７と記録バッファ１０８は１つのメモリで構成してもよい。
【００２４】
ここで、画像処理部１０６によって行われるホワイトバランス処理について説明する。画像処理部１０６は、一時バッファ１０７に一時的に記憶された撮影画像から色温度情報を抽出して被写界における光源の判定を行い、予め設定された光源データに応じて撮影画像のＲＧＢのゲインを補正する。一般にホワイトバランス処理は、本来白いものが白く見えるように色補正を行う処理で、撮影画像から抽出した色温度情報が重要である。ところが、電子カメラ１０１のレンズ光学系１０２は、変倍光学系であるズームレンズ１０２ｂを有しているので、望遠（テレ）領域や接写（マクロ）領域など様々な画角で画像を撮像する。一般に、テレ領域やマクロ領域で撮像する画像は、撮像する被写体を画面全体に大きく捉えている構図が多く、撮影画角内の色彩情報が少なくなったり、色の分布が偏ってしまう傾向がある。このため、ホワイトバランス処理で色温度情報を抽出して光源判定を行う際に、被写体の有彩色による誤動作が多くなり、白い被写体が光源の色温度変化を受けているのか、元々有彩色の被写体なのかを判別することが難しくなる。
【００２５】
例えば、図２に示した被写体画像２０１は、人物だけでなく山，空，木，花，雲など様々な被写体が撮影画角内に入っているので、色彩情報が多く、精度の高い光源判定が可能になる。ところが、図３に示したように、被写体画像２０１をズームアップした被写体画像２０２の場合は、人物の顔部分が撮影画角内の多くを占めているので、色彩情報が少なくなり、光源判定の精度が低くなってしまう。同様に、図４に示したように、花の部分をマクロ撮影した被写体画像２０３の場合も、色彩情報が少なくなり、光源判定の精度が低くなってしまう。
【００２６】
そこで、本実施形態の電子カメラ１０１は、操作パネル１１４にあるレリーズボタンを押して画像（本画像）を撮像した時のズームポジションが所定の位置にある時に、ズームポジションをその位置からワイド側に移動して撮像した画像（ＷＢ用画像）で光源判定を行い、その結果を用いて、本画像のホワイトバランス処理を行うようになっている。例えば、テレ領域の端（テレ端と称す）からワイド領域の端（ワイド端と称す）までを数段階のズームポジションに等分した場合に、操作パネル１１４のレリーズボタンを押して本画像を撮像した時のズームポジションが真ん中のズームポジションよりテレ側にある時、ズームポジションを本画像の撮影位置よりワイド側に移動して撮像したＷＢ用画像で光源判定を行い、その結果を用いて本画像のホワイトバランス処理を行う。
【００２７】
例えば、図３の被写体画像２０２のようにズームアップした本画像を撮像する場合、図５に示した被写体画像２０４のように、被写体画像２０２よりもワイド側に移動して広い画角でＷＢ用画像を撮像して光源判定を行う。この結果、被写体画像２０２の本画像よりも色彩情報の多い被写体画像２０４で光源判定を行うので、より精度の高い判定が可能になる。同様に、図４の被写体画像２０３のようにマクロ撮影した本画像を撮像する場合、図６に示した被写体画像２０５のように、被写体画像２０３よりもワイド側に移動して広い画角でＷＢ用画像を撮像して光源判定を行う。この結果、被写体画像２０３よりも色彩情報の多い被写体画像２０５で光源判定を行うので、より精度の高い判定が可能になる。
【００２８】
次に、ホワイトバランス処理の流れを図７のフローチャートを用いて説明する。尚、これらの一連の処理は、ＣＰＵ１１３に予め記憶されたプログラムに従って、画像処理部１０６と連携して行われる。また、ズームポジション判定するための所定位置は、テレ端を１番目，ワイド端を５番目として５段階のズームポジションに等分した場合の真ん中の３番目のズームポジションとする。
（ステップＳ３０１）電子カメラ１０１の電源を投入し、撮像できる状態にする。
（ステップＳ３０２）操作パネル１１４のレリーズボタンが押されるのを待つ。
（ステップＳ３０３）レリーズボタンが押されると、ＣＰＵ１１３は、撮像素子１０３はレンズ光学系１０２から入射される被写体光を撮像素子１０３で撮像し、Ａ／Ｄ変換部１０４およびバス１０５を介して一時バッファ１０７に記憶する。これが本画像の撮像である。
（ステップＳ３０４）画像処理部１０６は、一時バッファ１０７に記憶された本画像の色温度情報を抽出して光源判定を行い、光源判定データを一時バッファ１０７に記憶する。尚、光源判定は、例えば、白熱電球，蛍光灯，晴天，曇天など予め設定された色温度情報と比較して判定することができるが、詳細な光源判定方法については、本発明の主要な部分ではないので説明を省略する。
（ステップＳ３０５）ＣＰＵ１１３は、ステップＳ３０３で本画像を撮像した時のズームポジションを判定する。例えば、撮像時のズームポジションが所定位置（３番目）及びそれよりワイド側であった場合は、ステップＳ３１０に進む。撮像時のズームポジションが所定位置（３番目）よりテレ側であった場合は、ステップＳ３０６に進む。
（ステップＳ３０６）ＣＰＵ１１３は、レンズ制御部１１５に指令して、ズームレンズ１０２ｂのズームポジションを撮像位置よりも所定量だけワイド側に移動させる。尚、所定量は予め設定された値で、例えば５段階のズームポジションの１ポジション分だけ移動するようにしても構わないし、必ずワイド端まで移動するようにしても構わない。
（ステップＳ３０７）ＣＰＵ１１３は、ズームレンズ１０２ｂのワイド側への移動が完了すると、再び、レンズ光学系１０２から入射される被写体光を撮像素子１０３で撮像し、Ａ／Ｄ変換部１０４およびバス１０５を介して一時バッファ１０７に記憶する。これがＷＢ用画像の撮像である。
（ステップＳ３０８）画像処理部１０６は、一時バッファ１０７に記憶されたＷＢ用画像の色温度情報を抽出して光源判定を行い、光源判定データを一時バッファ１０７に記憶する。尚、光源判定は、ステップＳ３０４と同じ方法で行われる。
（ステップＳ３０９）画像処理部１０６は、ステップＳ３０４で判定した本画像の光源判定データと、ステップＳ３０８で判定したＷＢ用画像の光源判定データとを複合して、再び光源判定を行い、ステップＳ３０４の光源判定データを更新する。
（ステップＳ３１０）ステップＳ３０４またはステップＳ３０９で求めた光源判定データを用いて、光源に応じたＲＧＢのホワイトバランスゲインを求め、本画像のＲＧＢデータにホワイトバランスゲインを掛けてホワイトバランス処理を行う。
（ステップＳ３１１）ホワイトバランス処理された本画像を記憶バッファ１０８に記憶し、一連の撮像処理を終了する。撮像を続ける場合は、再び、ステップＳ３０２に戻って、レリーズボタンが押されるのを待つ。
【００２９】
このように、本実施形態に係る電子カメラ１０１は、ズームレンズ１０２ｂのズームポジションが所定位置にある場合、特にズームポジションがテレ領域やマクロ領域にある場合に、一旦、ワイド側に移動して撮像した画像でホワイトバランス処理用の光源判定を行うので、色彩情報が多くなり精度の高い光源判定を行うことができる。この結果、テレ領域やマクロ領域で撮像した本画像に対して適正なホワイトバランス処理を行うことができる。
【００３０】
尚、本実施形態では特に説明しなかったが、ワイド側へ移動してＷＢ用画像の撮像が終了した後、本画像を撮像した時の元のズームポジションに戻すようにするのが好ましい。また、ワイド側へ移動している間および本画像のホワイトバランス処理を行っている間は、本画像の撮像直前のプレビュ画像を液晶モニタ１１０に表示しておくようにしても構わない。さらに、本画像の撮像時に補助光源１１６を発光している場合は、ＷＢ用画像も補助光源１１６を発光して撮像する。
【００３１】
（第２の実施形態）
次に、第２の実施形態に係る電子カメラ１０１について説明する。尚、電子カメラ１０１の構成は、第１の実施形態の図１のブロック図と同じなので重複する説明は省略する。
【００３２】
第１の実施形態では、本画像を撮像した時のズームポジションよりも所定量だけワイド側に移動、或いはワイド端まで移動するようにしたが、本実施形態では、本画像を撮像した時のズームポジションよりもワイド側に移動しながら複数のＷＢ用画像を撮像して光源判定を行うようにしている。
【００３３】
次に、第２の実施形態におけるホワイトバランス処理の流れを図８のフローチャートを用いて説明する。尚、これらの一連の処理は、ＣＰＵ１１３に予め記憶されたプログラムに従って、画像処理部１０６と連携して行われる。また、本実施形態のズームレンズ１０２ｂのズームポジションは、分かり易くするために、図９に示したように、テレ端の位置Ｐ１からワイド端の位置Ｐ１０までを１０段階に分けて説明する。尚、ワイド側に移動した画像でホワイトバランス処理を行うか否かを判断するための所定位置は、位置Ｐ３とする。
【００３４】
ステップＳ３０１からステップＳ３０５までの処理と、ステップＳ３０５で本画像の撮像時のズームポジションが所定位置及びそれよりワイド側であった場合の処理は、第１の実施形態と同じなので重複する説明は省略する。以下、図９において、ステップＳ３０５で本画像の撮像時のズームポジションが所定位置（Ｐ３）よりテレ側の位置（Ｐ２）であった場合について説明する。尚、ステップＳ３０４において、本画像の光源判定データＲは一時バッファ１０７に記憶されているものとする。
（ステップＳ４０１）ＣＰＵ１１３は、レンズ制御部１１５に指令して、ズームレンズ１０２ｂのズームポジションを現在位置よりも所定量（２ポジション分）だけワイド側に移動する。例えば、１回目は、本画像の撮像位置（Ｐ２）よりも２ポジション分だけワイド側の位置（Ｐ４）に移動させる。２回目は、位置（Ｐ４）よりも２ポジション分だけワイド側の位置（Ｐ６）に移動させ、３回目は、位置（Ｐ６）よりも２ポジション分だけワイド側の位置（Ｐ８）に移動させ、４回目は、位置（Ｐ８）よりも２ポジション分だけワイド側の位置（Ｐ１０）即ちワイド端に移動させる。
（ステップＳ４０２）ＣＰＵ１１３は、ワイド側への移動が完了すると、レンズ光学系１０２から入射される被写体光を撮像素子１０３で撮像し、Ａ／Ｄ変換部１０４およびバス１０５を介してＷＢ用画像を一時バッファ１０７に記憶する。例えば、位置（Ｐ４）ではＷＢ用画像Ａを、位置（Ｐ６）ではＷＢ用画像Ｂを、位置（Ｐ８）ではＷＢ用画像Ｃを、位置（Ｐ１０）即ちワイド端ではＷＢ用画像Ｄをそれぞれ撮像する。
（ステップＳ４０３）画像処理部１０６は、一時バッファ１０７に記憶されたＷＢ用画像の色温度情報を抽出して光源判定を行う。尚、光源判定は、ステップＳ３０４と同じ方法で行われる。例えば、位置（Ｐ４）では光源判定データＡが、位置（Ｐ６）では光源判定データＢが、位置（Ｐ８）では光源判定データＣが、位置（Ｐ１０）即ちワイド端では光源判定データＤがそれぞれ得られる。尚、これらの光源判定データは一時バッファ１０７に一時的に記憶される。
（ステップＳ４０４）ステップＳ４０１で所定量毎にズームレンズ１０２ｂのズームポジションをワイド側に移動させて行くが、ズームポジションがワイド端に達したか否かを判別し、ワイド端に達していない場合はステップＳ４０１に戻って、ワイド端に達するまでステップＳ４０１からステップＳ４０４までの処理を繰り返す。ワイド端に達した場合はステップＳ４０５に進む。
（ステップＳ４０５）画像処理部１０６は、一時バッファ１０７からステップＳ３０４で判定した本画像の光源判定データＲと、ステップＳ３０８で判定したＷＢ用画像の光源判定データＡ，Ｂ，Ｃ，Ｄを複合して最終的な光源判定を行い、ステップＳ３０４の本画像の光源判定データを更新する。
【００３５】
ここで、光源判定データの複合方法について説明する。例えば、ワイド側に移動するほど撮影画角が広くなって様々な被写体が撮像されるので色彩情報が多くなると考えて、ワイド側に移動するに従って、各ズームポジションでの光源判定データに掛ける係数の重み付けを重くする。
例えば、複合後の光源判定データをＦとした場合、（式１）のように計算できる。
Ｆ＝Ｒ×0.10＋Ａ×0.15＋Ｂ×0.20＋Ｃ×0.25＋Ｄ×0.35    （式１）
光源判定データを求めたら、ステップＳ３１０に進む。
【００３６】
以下、ステップＳ３１０およびステップＳ３１１の処理は、第１の実施形態と同じで、ステップＳ３０４またはステップＳ４０５で求めた光源判定データを用いて、光源判定データに応じたＲＧＢのホワイトバランスゲインを求め、本画像のＲＧＢデータにホワイトバランスゲインを掛けてホワイトバランス処理を行う。さらに、ホワイトバランス処理された本画像を記憶バッファ１０８に記憶し、一連の撮像処理を終了する。撮像を続ける場合は、再び、ステップＳ３０２に戻って、レリーズボタンが押されるのを待つ。
【００３７】
このように、本実施形態に係る電子カメラ１０１は、ズームレンズ１０２ｂのズームポジションをワイド側に移動させながら複数ズームポジションでＷＢ用画像を撮像して光源判定を行い、これら複数の光源判定データを用いて最終的な光源判定を行うので、精度の高い光源判定が可能になる。この結果、テレ領域やマクロ領域で撮像した本画像に対して適正なホワイトバランス処理を行うことができる。特に、色彩情報が多くなると思われるワイド側の位置ほど光源判定データの重み付けを重くして最終的な光源判定を行うので、より精度の高い光源判定が可能になる。
【００３８】
尚、第１の実施形態と同様に、ワイド端へ移動してＷＢ用画像の撮像が終わった後、本画像を撮像した時の元のズームポジションに戻すようにするのが好ましい。また、ＷＢ用画像を撮像するズームポジションの数を、撮像時のズームポジションに応じて可変するようにしても構わない。例えば、撮像時のズームポジションとワイド端との間が離れている場合はＷＢ用画像を撮像するズームポジションの数を多くし、撮像時のズームポジションとワイド端との間が近い場合はＷＢ用画像を撮像するズームポジションの数を少なくする。また、ＷＢ用画像を撮像するズームポジションの間隔を図９のように等間隔にしても構わないし、本画像に近い位置ほどＷＢ用画像を撮像するズームポジションの間隔を狭くしたり、逆に広くするようにしても構わない。
【００３９】
（第３の実施形態）
次に、第３の実施形態に係る電子カメラ１０１ａについて図１０を用いて説明する。尚、電子カメラ１０１ａの構成は、第１の実施形態の図１のブロック図と同じである。図１と異なる部分は、図１０の電子カメラ１０１ａにはＡＦセンサ１１７が設けられていることである。ＡＦセンサ１１７は、被写体と電子カメラ１０１ａとの距離を測定する測距機能を有し、被写体との距離情報をＣＰＵ１１３に出力する。ＣＰＵ１１３は、ＡＦセンサ１１７が出力する距離情報を用いて、第１の実施形態または第２の実施形態で説明した処理を変える。例えば、例えば、ＡＦセンサ１１７の距離情報を使って、被写体の近くに寄っているか否かを判別し、ズームポジションが所定位置よりもワイド側にあった場合でも、距離情報によって被写体と電子カメラ１０１ａが所定の距離より近い場合は、図７または図８のステップＳ３０５において、ステップＳ３１０へ進まず、さらにワイド側に移動してＷＢ用の画像を撮像する処理を行うようにする。
【００４０】
この結果、被写体と電子カメラ１０１ａとの距離が近い場合でも、色彩情報を多くすることができ、より精度の高い光源判定が可能になる。
【００４１】
尚、図１のように、専用のＡＦセンサ１１７がない場合は、撮像素子１０３に投影される被写体画像から距離情報を得るようにしても構わない。
【００４２】
（第４の実施形態）
次に、第４の実施形態に係る電子カメラ１０１についていくつかの実施方法を挙げて説明する。尚、電子カメラ１０１の構成は、第１の実施形態の図１のブロック図と同じである。
【００４３】
第１の方法として、第２の実施形態において重み付けを行う際に、本画像及びＷＢ用画像の色の分布を求める。求めた色分布において、色分散が偏っている場合は色が単調であると判断し、その画像の重み付けを低くする。例えば、花の花弁など極端に偏った被写体の場合は、色が単調になるので重み付けを低くする。
【００４４】
この結果、本画像及び複数のＷＢ用画像の中で色が単調なものの光源判定データの影響を少なくできるので、より精度の高い光源判定が可能になる。
【００４５】
第２の方法として、重み付けを可変するための情報として、輝度変化を利用する。例えば、第２の実施形態において、ズームポジションをワイド側に移動しながらＷＢ用画像を撮像して光源判定データを求める場合に、本画像との輝度値を比較して、予め設定された許容値より大きく変化している場合は、当該ズームポジションでの光源判定データを削除するか低く重み付けする。
【００４６】
この結果、例えば、鳥が横切るなど突発的な環境の変化によって輝度が大きく変化した場合でも、そのＷＢ用画像の光源判定データの影響を少なくできるので、より精度の高い光源判定が可能になる。
【００４７】
尚、輝度の変化が大きくなる要因として、スポット光などで照らされた被写体を撮像する場合が考えられる。この場合は、ワイド側の画像よりも本画像の方を重視するように重み付けを行うのが好ましい。また、輝度変化の判断は、例えば、本画像の平均輝度よりもＷＢ用画像の平均輝度が±１．５倍に変化したか否かによって行う。
【００４８】
さらに、電子カメラ１０１に姿勢センサ（振れセンサ）を設けて、本画像を撮像後にＷＢ用画像を撮像している時に、ＣＰＵ１１３が姿勢センサによってカメラ自体が動いたことを検出した場合は構図が変化したものと判断し、図７および図８のフローチャートのステップＳ３０５において、ズームポジションが所定位置よりもテレ側にあった場合でも、ステップＳ３１０に進んで、ＷＢ用画像を撮像して光源判定データを求める処理はしないように制御する。
【００４９】
この結果、例えば、本画像を撮像後にカメラ自体が動いて異なる被写体に向いた場合でも、ＷＢ用画像を撮像して光源判定データを求める処理を行わないので、光源判定の精度が劣化しないようにすることができる。
【００５０】
また、各実施形態においては、予め設定された所定位置よりテレ側であった場合に、自動的にワイド側に移動してホワイトバランス用の光源判定処理を行うようにしたが、ユーザーが撮像前にこの処理への移行を行うか否かを選択できるようにしても構わない。例えば、ユーザーは、各実施形態で述べたような高精度なホワイトバランス処理を行うか否かを操作パネル１１４によって選択する。ＣＰＵ１１３は、高精度なホワイトバランス処理が選択されている時のみ、撮像時のズームレンズ１０２ｂのズームポジションが所定位置よりテレ側であった場合に、自動的にワイド側に移動してホワイトバランス用の光源判定処理を行うよう制御する。また、高精度なホワイトバランス処理を選択する際に、ワイド端まで移動するモードと少しワイド側に移動するモードとを選択できるようにしても構わない。
【００５１】
或いは、重み付け値をユーザーが設定できるようにしても構わないし、数種類の重み付けパターンから選択できるようにしても構わない。例えば、ワイド側よりも本画像の方の重み付け値を高くする本画像重視モード、ワイド側に行くに従って徐々に重み付けが高くなるワイド重視モード、所定以上の輝度変化があった場合は重み付け値を低くするおまかせモードなど様々なモードを選択できるようにしても構わない。
【図面の簡単な説明】
【００５２】
【図１】第１の実施形態に係る電子カメラ１０１の構成を示すブロック図である。
【図２】撮影画像の画角による違いを説明するための補助図である。
【図３】撮影画像の画角による違いを説明するための補助図である。
【図４】撮影画像の画角による違いを説明するための補助図である。
【図５】ＷＢ用画像の画角を示す補助図である。
【図６】ＷＢ用画像の画角を示す補助図である。
【図７】第１の実施形態に係る電子カメラ１０１の処理を示すフローチャートである。
【図８】第２の実施形態に係る電子カメラ１０１の処理を示すフローチャートである。
【図９】第２の実施形態に係る電子カメラ１０１の動作を説明するための補助図である。
【図１０】第３の実施形態に係る電子カメラ１０１の構成を示すブロック図である。
【符号の説明】
【００５３】
１０１・・・電子カメラ        １０２・・・レンズ光学系
１０２ｂ・・・ズームレンズ    １０３・・・撮像素子
１０７・・・一時バッファ      １０６・・・画像処理部
１０８・・・記録バッファ      １１０・・・液晶モニタ
１１３・・・ＣＰＵ            １１４・・・操作パネル
１１５・・・レンズ制御部      １１６・・・補助光源
１１７・・・ＡＦセンサ
【図１】
2008301368.tif 000003
【図２】
2008301368.tif 000004
【図３】
2008301368.tif 000005
【図４】
2008301368.tif 000006
【図５】
2008301368.tif 000007
【図６】
2008301368.tif 000008
【図７】
2008301368.tif 000009
【図８】
2008301368.tif 000010
【図９】
2008301368.tif 000011
【図１０】
2008301368.tif 000012